(57)【要約】【課題】開閉状態を検出するための構成部品の組立てを容易にするとともに、構成部品の組立後の保持力のバランスをとることができるようにする。【解決手段】携帯電子機器における部品固定構造１０は、文字情報又は画像情報を表示する表示部２と、複数の情報入力用キー４が配置されている操作部３とが開閉により一体に折り畳み可能に構成され、開閉状態を検出するためのマグネット６が表示部２又は操作部３内の支持基板８に固定されてなる構成において、支持基板８は、マグネット６の一端部６Ａをあご下に形成されたスロープ形状のガイド面９に沿ってガイドして固定する第１の固定部１１と、マグネット６の他端部６Ｂを嵌合爪１２により嵌合して固定する第２の固定部１３とを有している。【選択図】図２
2008263148.tif 000002
【特許請求の範囲】
【請求項１】
文字情報又は画像情報を表示する表示部と、複数の情報入力用キーが配置されている操作部とが開閉により一体に折り畳み可能に構成され、開閉状態を検出するための構成部品が前記表示部又は前記操作部内の支持基板に固定されてなる携帯電子機器における部品固定構造であって、
前記支持基板は、前記構成部品の一端部をあご下に形成されたスロープ形状のガイド面に沿ってガイドして固定する第１の固定部と、前記構成部品の他端部を嵌合爪により嵌合して固定する第２の固定部とを有することを特徴とする携帯電子機器における部品固定構造。
【請求項２】
前記支持基板の前記第１の固定部の底面に、前記スロープ形状のガイド面に連なる開口が設けられていることを特徴とする請求項１記載の携帯電子機器における部品固定構造。
【請求項３】
前記構成部品の外形が方形形状に形成されていることを特徴とする請求項１又は２記載の携帯電子機器における部品固定構造。
【請求項４】
前記構成部品がマグネットであることを特徴とする請求項１乃至４のいずれか１つに記載の携帯電子機器における部品固定構造。
【請求項５】
前記構成部品が磁気センサであることを特徴とする請求項１乃至４のいずれか１つに記載の携帯電子機器における部品固定構造。
【発明の詳細な説明】
【技術分野】
【０００１】
この発明は、携帯電子機器における部品固定構造に係り、詳しくは、携帯電話機のように表示部と操作部とが開閉により一体に折り畳み可能に構成され、開閉状態を例えば磁気的に検出するための構成部品が支持基板に固定されてなる携帯電子機器における部品固定構造に関する。
【背景技術】
【０００２】
携帯電子機器の代表として知られている携帯電話機は、より携帯性に富むように使用時以外は、文字情報又は画像情報を表示する表示部と、テンキー等の複数の情報入力用キーが配置されている操作部とがヒンジ部を介して開閉されることで一体に折り畳まれて、全体のサイズが縮小されるように構成されている。また、携帯電話機には、表示部と操作部とが一体に折り畳まれていない開放状態、あるいは両部が一体に折り畳まれた閉鎖状態を例えば磁気的に検出する開閉検出機構が備えられている。このような開閉検出機構により、携帯電話機が開放状態にあるときは表示部の照明を点灯させ、一方、閉鎖状態にあるときは表示部の照明を消灯させ、あるいは情報入力用キーの機能を無効にさせる等の開閉状態に応じた必要な制御動作が行われる。
【０００３】
上述の開閉検出機構は、表示部又は操作部内のプリント基板等から成る支持基板に固定されたマグネットと、操作部又は表示部内の他方の支持基板の前記マグネットに対応した位置に固定されて、マグネットから発生された磁界を検出する磁気センサとから構成されている。マグネットは長方形、正方形のような方形形状、あるいは円形形状からなる永久磁石が用いられる一方、磁気センサは磁気の検出、非検出に応じてオン、オフ動作するリードスイッチ等が用いられて、それぞれは対向関係となるように各支持基板に固定される。
【０００４】
図７は、従来の携帯電話機におけるマグネット固定構造（第１の従来例）の概略構成を示す部品配置図である。このマグネット固定構造１００は、例えば、操作部内の絶縁性材料等から成る支持基板１０１上に、方形形状のマグネット１０３が両面テープ１０２により貼り付けられて固定されている。また、図８（ａ）、（ｂ）は、従来の携帯電話機におけるマグネット固定構造の他の例（第２の従来例）の概略構成を示す断面図である。このマグネット固定構造２００は、例えば、操作部内の絶縁性材料等から成る支持基板２０１に一対の嵌合部２０２Ａ、２０２Ｂを設け、これら嵌合部２０２Ａ、２０２Ｂ間にマグネット２０３が挿入されて、各嵌合爪２０２ａ、２０２ｂにより嵌合されて固定されるようになっている。
【０００５】
ここで、カメラにおいて、複数の係止爪を係合して裏蓋の閉成状態を維持する構造で、係止爪の係合面の傾斜角度をそれぞれの係止爪の対について変更することにより、係合時の係合状態を解除させようとする力の方向を複数の方向とすることで、閉成時に裏蓋がガタつくことを防止するようにしたカメラの裏蓋係止構造が提供されている（特許文献１）。また、携帯電話機に電池パックを装着した状態又は電池パック単体で充電器に挿入することにより、携帯電話機又は電池パックを簡易固定できるとともに、容易かつ確実に電池パックの充電を行うことができる携帯電話機用充電器が提供されている（特許文献２）。さらに、携帯電話機において、二時電池を取り外す際ロック解除ボタンを押す等の操作を不要とすることにより、二次電池の取り外しを容易に行える二次電池ロック構造が提供されている（特許文献３）。
【特許文献１】特開２００１−２８１７４５号公報
【特許文献２】特許第２５０３１３７号公報
【特許文献３】特許第３１０５７９０号公報
【０００６】
なお、特許文献１には、カメラにおいて裏蓋の開成時に裏蓋がガタつくのを防止するカメラの裏蓋係止構造が開示されているが、本願発明のように表示部と操作部とが開閉により一体に折り畳み可能に構成された携帯電子機器において、開閉状態を検出するための構成部品の固定構造については開示されていない。
特許文献２には、携帯電話機又は電池パックを簡易固定できるとともに、容易かつ確実にパックの充電を行うことができる携帯電話機用充電器が開示されているが、上述のように携帯電子機器において開閉状態を検出するための構成部品の固定構造については開示されていない。
特許文献３においても、携帯電話機において、二次電池の取り外しを容易に行える二次電池ロック構造が開示されているが、携帯電子機器において開閉状態を検出するための構成部品の固定構造については開示されていない。
【発明の開示】
【発明が解決しようとする課題】
【０００７】
ところで、従来の携帯電話機におけるマグネット固定構造には、それぞれ次のような問題がある。
まず、第１の従来例では、図７に示したように、マグネット固定構造１００は、両面テープ１０２を用いてマグネット１０３を支持基板１０１上に固定しているが、マグネット１０３のサイズが小さいので、このマグネット１０３を両面テープ１０２に貼り付ける作業が煩雑になり、マグネット１０３の組立てが容易ではない。
次に、第２の従来例では、図８（ａ）に示すように、一対の嵌合部２０２Ａ、２０２Ｂ間にマグネット２０３を組立てる際に、組立挿入荷重を軽くすると、図８（ｂ）に示すように、マグネット２０３の挿入後の保持力が低下してマグネット２０３が外れ易くなる。一方、マグネット２０３の保持力を向上させるには挿入荷重を重くしなければならないので、マグネット２０３の組立後の保持力のバランスがとり難くなる。したがって、マグネット２０３の組立てを容易にすることと、マグネット２０３の組立後の保持力のバランスをとることとは背反した関係となる。
【０００８】
この発明は、上述の事情に鑑みてなされたもので、開閉状態を検出するための構成部品の組立てを容易にするとともに、構成部品の組立後の保持力のバランスをとることができるようにした携帯電子機器における部品固定構造を提供すること目的としている。
【課題を解決するための手段】
【０００９】
上記課題を解決するために、請求項１記載の発明は、文字情報又は画像情報を表示する表示部と、複数の情報入力用キーが配置されている操作部とが開閉により一体に折り畳み可能に構成され、開閉状態を検出するための構成部品が上記表示部又は上記操作部内の支持基板に固定されてなる携帯電子機器における部品固定構造であって、上記支持基板は、上記構成部品の一端部をあご下に形成されたスロープ形状のガイド面に沿ってガイドして固定する第１の固定部と、上記構成部品の他端部を嵌合爪により嵌合して固定する第２の固定部とを有することを特徴としている。
【００１０】
また、請求項２記載の発明は、請求項１記載の携帯電子機器における部品固定構造に係り、上記支持基板の上記第１の固定部の底面に、上記スロープ形状のガイド面に連なる開口が設けられていることを特徴としている。
【００１１】
また、請求項３記載の発明は、請求項１又は２記載の携帯電子機器における部品固定構造に係り、上記構成部品の外形が方形形状に形成されていることを特徴としている。
【００１２】
また、請求項４記載の発明は、請求項１乃至４のいずれか１つに記載の携帯電子機器における部品固定構造に係り、上記構成部品がマグネットであることを特徴としている。
【００１３】
また、請求項５記載の発明は、請求項１乃至４のいずれか１つに記載の携帯電子機器における部品固定構造に係り、上記構成部品が磁気センサであることを特徴としている。
【発明の効果】
【００１４】
この発明の携帯電子機器における部品固定構造１０によれば、マグネット６を固定する支持基板８は、マグネット６の一端部６Ａを固定する第１の固定部１１と、マグネット６の他端部６Ｂを固定する第２の固定部１３とを有している。したがって、マグネット６を支持基板８に鉛直方向に押し込むだけで、簡単に組立てることができるので、開閉状態を検出するためのマグネット６の組立てを容易にするとともに、マグネット６の組立後の保持力のバランスをとることができる。
【発明を実施するための最良の形態】
【００１５】
携帯電子機器における部品固定構造１０は、文字情報又は画像情報を表示する表示部２と、複数の情報入力用キー４が配置されている操作部３とが開閉により一体に折り畳み可能に構成され、開閉状態を検出するためのマグネット６が表示部２又は操作部３内の支持基板８に固定されてなる構成において、支持基板８は、マグネット６の一端部６Ａをあご下に形成されたスロープ形状のガイド面９に沿ってガイドして固定する第１の固定部１１と、マグネット６の他端部６Ｂを嵌合爪１２により嵌合して固定する第２の固定部１３とを有している。
【実施例１】
【００１６】
図１はこの発明の実施例１である携帯電子機器における部品固定構造が適用される携帯電話機の概略構成を示す斜視図、図２は図１のＡ―Ａ矢視断面図、図３は同携帯電子機器における部品固定構造の組立方法を工程順に示す断面図、図４は同携帯電子機器における部品固定構造の閉鎖状態の概略構成を示す断面図、図５は同携帯電子機器における部品固定構造の開放状態の概略構成を示す断面図である。
この例の携帯電子機器における部品固定構造１０が適用される携帯電話機１は、図１に示すように、文字情報又は画像情報を表示する表示部２と、テンキー等の複数の情報入力用キー４が配置されている操作部３とが、ヒンジ部５を介して開閉されることで一体に折り畳み可能に構成されている。ここで、例えば表示部２内の所定位置には開閉状態を磁気的に検出するための構成部品としてマグネット６が固定される一方、操作部３内の前記マグネット６に対応した位置にはマグネット６から発生された磁界を検出する磁気センサ７が固定されて、マグネット６と磁気センサとにより開閉検出機構が構成されている。
【００１７】
この例の携帯電子機器における部品固定構造１０は、図２に示すように、マグネット６を固定する操作部３内の絶縁性材料等から成る支持基板８は、マグネット６の一端部６Ａをあご下（あご部分の下部）に形成されたスロープ形状のガイド面９に沿ってガイドして固定する第１の固定部１１と、マグネット６の他端部６Ｂを嵌合爪１２により嵌合して固定する第２の固定部１３とを有している。ここで、支持基板８は、後述するようにマグネット６の組立時に容易に変形し易い、例えば樹脂のような可撓性材料を用いることが望ましい。
【００１８】
次に、図３（ａ）〜（ｄ）を参照して、この例の携帯電子機器における部品固定構造１０の組立方法を工程順に説明する。
まず、図３（ａ）に示すように、マグネット６をこの一端部６Ａを、支持基板８のあご下のスロープ形状のガイド面９に沿って底面に接するまで押し込んだ後、図３（ｂ）に示すように、マグネット６の他端部６Ｂを嵌合爪１２に向かって水平方向Ｈ及び鉛直方向Ｖに押し込む。次に、図３（ｃ）に示すように、マグネット６の他端部６Ｂを嵌合爪１２を越えるように嵌合爪１２を変形させてさらに鉛直方向Ｖに押し込むと、スロープ形状のガイド面９に沿ってマグネット６が水平方向Ｈに徐々に押し出されるように移動するので、マグネット６は保持力のバランスをとって嵌合爪１２に嵌合される。
【００１９】
上述したような、この例の携帯電子機器における部品固定構造１０によれば、次のような効果を得ることができる。
（１）第１の従来例のような両面テープ１０２を用いないので、煩雑な作業が不要になり、マグネット６の組立を容易に行うことができる。また、両面テープ１０２が不要になることに伴い、部品点数を削減できる。
（２）第２の従来例のように一対の嵌合部２０２Ａ、２０２Ｂを用いることなく、マグネット６の一端部６Ａをあご下に形成されたスロープ形状のガイド面９に沿ってガイドして固定するように働く第１の固定部１１と、マグネット６の他端部６Ｂを嵌合爪１２により嵌合して固定するように働く第２の固定部１３とを有するので、マグネット６を支持基板８に鉛直方向に押し込むだけで簡単に、マグネット６の組立後の保持力のバランスをとることができる。
【００２０】
次に、図４及び図５を参照して、この例の携帯電子機器における部品固定構造１０を適用した携帯電話機１の開閉動作について説明する。
まず、携帯電話機１が閉鎖状態にあるときは、図４に示すように、表示部２内の支持基板８に固定されたマグネット６と、操作部３内の支持基板の前記マグネット６に対応した位置に固定された磁気センサ７とが接近しているので、マグネット６から発生した破線で示すような磁界が磁気センサ７により検出される。したがって、開閉検出機構により、携帯電話機１が閉鎖状態にあることが検出されるので、開閉検出機構は表示部２の照明を消灯させ、あるいは情報入力用キーの機能を無効にさせる等の制御動作を行う。
【００２１】
次に、携帯電話機１が開放状態にあるときは、図５に示すように、表示部２内の支持基板８に固定されたマグネット６と、操作部３内の支持基板の前記マグネット６に対応した位置に固定された磁気センサ７とが接近した関係とならないので、マグネット６から発生した破線で示すような磁界が磁気センサ７により検出されない。したがって、開閉検出機構により、携帯電話機１が開放状態にあることが検出されるので、開閉検出機構は表示部２の照明を点灯させる等の制御動作を行う。
【００２２】
このように、この例の携帯電子機器における部品固定構造１０によれば、文字情報又は画像情報を表示する表示部２と、複数の情報入力用キー４が配置されている操作部３とが開閉により一体に折り畳み可能に構成され、開閉状態を検出するためのマグネット６が表示部２又は操作部３内の支持基板８に固定されてなる構成において、支持基板８は、マグネット６の一端部６Ａをあご下に形成されたスロープ形状のガイド面９に沿ってガイドして固定する第１の固定部１１と、マグネット６の他端部６Ｂを嵌合爪１２により嵌合して固定する第２の固定部１３とを有するので、マグネット６を支持基板８に鉛直方向に押し込むだけで、簡単に組立てることができる。
したがって、開閉状態を検出するための構成部品の組立てを容易にするとともに、構成部品の組立後の保持力のバランスをとることができる。
【実施例２】
【００２３】
図６は、この発明の実施例２である携帯電子機器における部品固定構造の概略構成を示す断面図である。この例の電子部品の実装構造の構成が、上述の実施例１のそれと大きく異なるところは、支持基板にスロープ形状のガイド面に連なる開口を設けるようにした点である。
この例の携帯電子機器における部品固定構造１５は、図６に示すように、支持基板８の第１の固定部１１の底面に、スロープ形状のガイド面９に連なる開口１４が設けられている。これ以外は、前述した実施例１の構成と略同様であるので、詳細な説明は省略する。
【００２４】
上述したようなこの例の携帯電子機器における部品固定構造１５によれば、開口１４の存在によりスロープ形状のガイド面９を延長することができるので、マグネット６の鉛直方向Ｖの押込み量に対して、水平方向Ｈの移動量を拡大することが可能になる。これによって、マグネット６の支持基板８への挿入時の嵌合爪１２の変位量をさらに少なくするとことができるので、より軽い挿入荷重でマグネット６の組立後の保持力のバランスを低下させることなく、マグネット６の組立を容易にすることができる。
【００２５】
このように、この例の携帯電子機器における部品固定構造１５によれば、支持基板８の第１の固定部１１の底面に、スロープ形状のガイド面９に連なる開口１４を設けるようにしたので、実施例１よりもより軽い挿入荷重でマグネット６の組立後の保持力のバランスを低下させることなく、マグネット６の組立を容易にすることができる。
【００２６】
以上、この発明の実施例を図面により詳述してきたが、具体的な構成はこの実施例に限られるものではなく、この発明の要旨を逸脱しない範囲の設計の変更等があってもこの発明に含まれる。例えば、実施例ではマグネットを携帯電話機の表示部側に固定する例で説明したが、これに限らずに操作部側に固定するようにしてもよい。また、携帯電話機に限らずに他の携帯電子機器に適用することもできる。また、実施例ではマグネットを用いて開閉状態を磁気的に検出する例で説明したが、これに限らずに開閉状態を電気的に検出する場合にも構成部品の固定構造に適用することもできる。また、マグネットに限らずに携帯電子機器の構成部品であれば、例えば磁気センサ等の他の構成部品に対しても同様に適用することができる。
【図面の簡単な説明】
【００２７】
【図１】この発明の実施例１である携帯電子機器における部品固定構造が適用される携帯電話機の概略構成を示す斜視図である。
【図２】図１のＡ―Ａ矢視断面図である。
【図３】同携帯電子機器における部品固定構造の組立方法を工程順に示す断面図である。
【図４】同携帯電子機器における部品固定構造の閉鎖状態の概略構成を示す断面図である。
【図５】同携帯電子機器における部品固定構造の開放状態の概略構成を示す断面図である。
【図６】この発明の実施例２である携帯電子機器における部品固定構造の概略構成を示す断面図である。
【図７】第１の従来例の概略構成を示す部品配置図である。
【図８】第２の従来例の概略構成を示す断面図である。
【符号の説明】
【００２８】
１    携帯電話機
２    表示部
３    操作部
４    情報入力用キー
５    ヒンジ部
６    マグネット
６Ａ    マグネットの一端部
６Ｂ    マグネットの他端部
７    磁気センサ
８    支持基板
９    スロープ形状のガイド面
１０，１５    携帯電子機器における部品固定構造
１１    第１の固定部
１２    嵌合爪
１３    第２の固定部
１４    開口
【図１】
2008263148.tif 000003
【図２】
2008263148.tif 000004
【図３】
2008263148.tif 000005
【図４】
2008263148.tif 000006
【図５】
2008263148.tif 000007
【図６】
2008263148.tif 000008
【図７】
2008263148.tif 000009
【図８】
2008263148.tif 000010